(57)【要約】  本発明は、シャフト（１）を備え、その前部にでは保護スリーブ（２）がシャフト（１）に対して移動可能に同軸に組み付けられ、そのスリーブの移動は筆記具のペン先をカバーする保護位置と筆記可能な格納位置との間で生じる固定式ペン先の筆記具（６）に関する。スリーブ（２）は少なくとも１つの螺旋状のガイドパス（２０、２１）を備えた壁セクション（２Ａ）を具備し、そのガイドパスはシャフト（１）に接続された少なくとも１つのペグ（１０、１１）と係合する。スリーブ（２）の回転を保持する手段が設けられ、保護位置と格納位置との二位置において、ある閾値よりも小さい力でスリーブが回転することを防止している。その手段は少なくとも１つの縦長のリブ（２６、２７）を具備し、保護位置と格納位置とにおいて第１の溝（１６、１７）および第２の溝（１６´、１７´）において個々に弾性的に適切に係合する。
2010505652.tif 000002
【特許請求の範囲】
【請求項１】
シャフト（１）であって、長手軸（Ａ）に沿って延在し、前部において保護スリーブ（２）が組み付けられて該保護スリーブ（２）が前記シャフト（１）に対して同軸で移動可能とされたシャフト（１）を備え、
前記保護スリーブ（２）は筆記用のペン先を保護する保護位置と筆記可能な格納位置との間で移動可能であり、前記保護スリーブ（２）は少なくとも１つの螺旋状のガイドパス（２０、２１）を含んだ壁セクション（２Ａ）を具備し、前記ガイドパス（２０、２１）は、前記スリーブの回転が前記保護位置と前記格納位置との間で並進的に前記シャフトをスライドさせるために、前記シャフト（１）に接続された少なくとも１つのペグ（１０、１１）と係合している固定式ペン先の筆記具において、
前記少なくとも１つのペグ（１０、１１）は、該ペグが係合する前記螺旋状のガイドパス（２０、２１）内にスナップ係合可能とするために、弾性的に格納可能にデザインされ、前記スリーブ（２）の回転を保留するための手段は、前記保護位置および前記格納位置において前記スリーブがある閾値よりも小さい力で回転されることを防止し、前記回転を保留するための手段は、前記保護位置および前記格納位置において、第１の溝（１６、１７）および第２の溝（１６´、１７´）内に弾性的に挿入されるようにデザインされた少なくとも１つの縦長のリブ（２６、２７）を具備していることを特徴とする筆記具。
【請求項２】
前記スリーブ（２）は、前記シャフトに沿ってスライドするために、前記シャフトの前部（１Ａ）の周囲に組み付けられており、前記シャフトの前記前部（１Ａ）の前部セクション（Ｐ１）は、
少なくとも１つの前記第１の溝（１６、１７）および前記第２の溝（１６´、１７´）であって、長手方向に且つ前記前部セクション（Ｐ１）の前端管状リム（１Ｄ）まで延在した溝と、
前記第１の溝の（１６、１６´）の後端（１６Ｅ）と前記第２の溝（１７、１７´）の後端（１６´Ｅ）との間で前記前部セクション（Ｐ１）の壁を貫通して延在している貫通スロット（１８、１９）と、
前記第１の溝（１６、１７）と前記第２の溝（１６´、１７´）との間に柔軟な領域（１３，１３´）を形成するために前記第２の溝（１６´）の後端（１６´Ｅ）と、
を具備していることを特徴とする、請求項１に記載の筆記具。
【請求項３】
前記保護スリーブ（２）は内面（ＳＩ）を備え、前記スリーブ（２）の回転を保留するための手段は、前記内面（ＳＩ）に設けられた、径方向に対向した同じ長さの２つの縦長のリブ（２６、２７）と、それと同時に一組の前記第１の溝（１６、１６´）および一組の前記第２の溝（１７、１７´）から成る４つの溝と、を具備していることを特徴とする請求項２に記載の筆記具。
【請求項４】
前記シャフトの前部（１Ａ）は円筒形チューブによって楕円形に形成され、一組の前記第１の溝（１６、１６´）の間または一組の前記第２の溝（１７、１７´）の間の任意の点における前記前部（１Ａ）の壁の内面の半径（Ｒ１６，Ｒ１７）は、前記円筒形チューブの内側半径（Ｒ２）よりも大きいことを特徴とする請求項３に記載の筆記具。
【請求項５】
前記少なくとも１つの螺旋状のガイドパス（２０、２１）の角度方向の伸びは、前記保護スリーブ（２）が前記保護位置と前記格納位置との間で前記シャフト（１）に対して９０°回転されるようにデザインされており、前記回転を保留するための手段の前記４つの溝（１６、１６´、１７、１７´）は前記シャフトの前記前部（１Ａ）の外周を囲むように９０°の間隔で角度方向に分配されていることを特徴とする請求項３または４に記載の筆記具。
【請求項６】
それぞれ一組の第１および第２の溝（１６、１６´、１７、１７´）のうちの２つの溝は、前記保護位置と前記格納位置との間で前記保護スリーブ（２）の移動距離（Ｃ）に等しい長さの差を有していることを特徴とする請求項３〜５のいずれか一項に記載の筆記具。
【請求項７】
前記前部（１Ａ）のそばで、前記シャフト（１）は、前記保護スリーブ（２）の壁セクション（２Ａ）とほぼ同一の外径を有する環状の中間部（１Ｂ）と、ほぼ円筒形チューブ状の後部（１Ｃ）と、を具備していることを特徴とする請求項２〜６のいずれか一項に記載の筆記具。
【請求項８】
前記保護スリーブ（２）は、長手方向において起伏を有する後端リム（２Ｅ）を備えたほぼ円筒形チューブ状の後部を具備し、前記シャフト（１）の前記中間部（１Ｂ）は前記起伏と同様の起伏を有する前端リム（１Ｅ）を具備し、前記前端および後端リム（２Ｅ、１Ｅ）は前記保護位置および前記格納位置において全周を取り囲む小さいクリアランスによって互いに離間されていることを特徴とする請求項７に記載の筆記具。
【請求項９】
前記シャフトの前記前部（１Ａ）の前記前部セクション（Ｐ１）における前記柔軟な領域（１３，１３´）の１つは、前記ペグ（１０、１１）の１つおよび前記シャフトの前記中間部（１Ｂ）の前記前端リム（１Ｅ）内の起伏の谷（１５）と前記筆記具の軸（Ａ）に平行な直線（Ｄ２）に沿って整列されていることを特徴とする、請求項２と結合した請求項８に記載の筆記具。
【請求項１０】
それぞれの前記前端および後端リム（１Ｅ；２Ｅ）の前記起伏は互いに径方向に対向した２つの尾根（１４；２４）と２つの谷（１５；２５）とを備え、前記長手方向における前記シャフト（１）および前記保護スリーブ（２）の個々の谷の間の距離（Ｌ３）は５ｍｍより大きいことを特徴とする請求項８または９に記載の筆記具。
【発明の詳細な説明】
【技術分野】
【０００１】
本発明は、長手軸に沿って延在したシャフトを備えた固定式ペン先の筆記具に関し、その筆記具は前部において、外面と内面とを備えた保護スリーブが、シャフトに対して同軸上で移動することが可能なように組み付けられている。保護スリーブの内面はシャフトの外面に沿ってスライドするようにデザインされている。スリーブは、筆記具のペン先をカバーする保護位置と、筆記可能となる格納位置との間で移動する。スリーブは壁セクションを具備し、その壁セクション内には、シャフトに接続された少なくとも１つのペグ（pegs）と係合した、少なくとも１つの螺旋状のガイドパスを含んでいる。それは、スリーブの回転が保護位置と格納位置との間でシャフトを並進的に移動させるためである。
【背景技術】
【０００２】
そのような筆記具は特許文献１からも知られており、多様な欠点を備えている。特に、保護スリーブが相対的に変形可能であり、それは円形の断面が組み付けの間に楕円形となって、シャフト上に形成された２つの傾斜したペグが貫通され且つスリーブ内でガイドスロット内に挿入されることが可能となることが必要である。
【０００３】
同様に知られているのは特許文献２であり、その文献はシャフトと管状要素とを含んだ筆記具が記載されている。管状要素はシャフトの前部において並進的にスライド可能なように組み付けられており、この管状要素の後端部は格納可能なつまみ上に弾性的に形成された２つのペグを含んでいる。それぞれのペグは輪郭を描いたスロットと係合してシャフトの壁においてカムの軌跡を形成し、管状要素が、ペン先が延伸した位置または格納された位置の２つの位置の間で、シャフトに対してスライド可能なようになっている。慣習的に、それぞれのカムの軌跡は２つの端部セクションを備え、それぞれがペン先の延伸した位置または格納された位置に対応した支持点を形成し、軸方向においてその支持点を加圧しているペグが、管状要素を回転しないようにしている。しかしながら、ペン先の延伸した位置および格納された位置の双方において、管状要素は予期しない回転力にさらされる危険性があり、相対的に弱い力でさえも、支持点からペグが離脱する結果となり得る。そのことは管状要素の予期しないスライドとなり得る。
【先行技術文献】
【特許文献】
【０００４】
【特許文献１】米国特許第４７８００１６号明細書
【特許文献２】仏国特許出願第２８０９６７号明細書
【発明の概要】
【発明が解決しようとする課題】
【０００５】
本発明の目的は、保護スリーブが、確実なロックによってペン先の延伸した位置と格納された位置との間でスライドすることを防止する筆記具を提供することによって、これらの欠点を解消することである。
【課題を解決するための手段】
【０００６】
この目的のために、本発明の主題は前段に記載されたような筆記具であり、少なくとも１つのペグは、そのペグが係合する螺旋状のガイドパス内にスナップ係合するために、弾性的に格納可能なようにデザインされ、スリーブの回転を保留するための手段が提供されて、保護位置と格納位置とにおいて、ある閾値よりも小さい力でスリーブが回転することを防止しており、その保留手段は、保護位置と格納位置とのそれぞれの位置において第１の溝と第２の溝内に弾性的に挿入されるようにデザインされた少なくとも１つの縦長のリブを具備している。
【０００７】
有利には、スリーブは、シャフトに沿ってスライドするために、シャフトの前部を囲んではめ込まれており、そのシャフトの前部の前部セクションは少なくとも１つの第１の溝と少なくとも１つの第２の溝とを具備し、それらの溝は縦長に延在し、それぞれが前部セクションの前端環状リムまで延在している。貫通スロットは、第１の溝の後端部と第２の溝の後端部との間で、前部セクションの壁を貫通しており、それは第１の溝と第２の溝との間に柔軟な領域を形成するためである。
【０００８】
有利には、保護スリーブは内面を備え、スリーブの回転を保留するための手段は、同じ長さの、径方向に対向した２つの縦長リブを具備し、それらはない面上に設けられている。その手段は一組の第１の溝と一組の第２の溝とから成る４つの溝も具備している。
【０００９】
本発明による固定式ペン先の筆記具の他の好適な実施形態は、特に以下のアレンジで、個別にまたは結合的に使用されている。
−  シャフトの前部は円筒状チューブによって楕円形に形成され、一組の第１の溝間または一組の第２の溝間の任意の点における前部の壁の内面の半径は、円筒形チューブ内の半径よりも大きい。
−  少なくとも１つの螺旋状ガイドパスの角度の広がりは、保護スリーブが保護位置と格納位置との間でシャフトに関して９０°回転されるようにデザインされており、保留手段の４つの溝はシャフト前部の外周を囲むように９０°の間隔で等角に分配されている。
−  第１または第２の溝のそれぞれのペアの２つの溝は、スリーブの保護位置と格納位置との間の保護スリーブの移動距離に等しい長さの点で異なっている。
−  保護スリーブは、長手方向において起伏のある後端リムを備えたほぼ円筒形チューブ状の後端部を具備し、シャフトの中間部は同様の起伏のある前端リムを具備しており、その起伏は、スリーブの格納位置において端部リムが、全体の外周周りに小さいクリアランスを持つことによって、互いに離間されるようになっている。
−  シャフトの前部の線部セクションの柔軟な領域は、筆記具の軸に平行な直線に沿って、シャフトの中間部の前端リム内で１つのペグおよび起伏の谷とともに概略整列されている。
−  それぞれの端部リムの起伏は、一方はスリーブの後端においてもう一方はシャフトの中間部の前において、２つの尾根と２つの谷とを備えており、それらは径方向に対向して、シャフトの２つの個々の谷とスリーブとの間は長手方向において５ｍｍよりも大きく離間されている。
【００１０】
さらなる特徴および利点が、添付図を参照した以下の例示的且つ非限定的な実施形態の記載から明らかになる。
【図面の簡単な説明】
【００１１】
【図１】保護スリーブが格納位置にあって筆記可能な状態の、本発明による筆記具の全体を示した図である。
【図２】シャフトに組み付けられた、格納位置にある保護スリーブの部分的な側面を示した図である。
【図３】保護スリーブが組み付けられる前の、筆記具のシャフトの前部の斜視図を示している。
【図４】筆記具のシャフトの前部の斜視図を示している。
【図５】保護スリーブをワイヤフレームで現した斜視図を示している。
【図６】図４に示された切断面ＶＩにおける筆記具の前部の横断面を示した図である。
【図７】スリーブが保護位置にある場合の筆記具の斜視図を示している。
【発明を実施するための形態】
【００１２】
図１に示された筆記位置、すなわち保護スリーブの格納位置にある筆記具は、長手軸Ａに沿って延在したシャフト１を備えている。第２のシャフト７はシャフト１の後部上に強制的にはめ込まれており、これはそこに固定し、原則的に筆記具の全体の長さ方向に沿って延在した完全なシャフトを形成するためである。これらの２つの構成部品が、代替的に単一のシャフトとしてモールド成形されることが不可能であるということは、言うまでもないことである。シャフト１は図３に詳細に見られている。シャフトはほぼ円筒形チューブ状の前部１Ａ、より大きな外径とされた環状の中間部１Ｂ、およびほぼ円筒形チューブ状の後部１Ｃを備えており、後部はこの場合前部１Ａと同一の外径である。保護スリーブ２は図５に詳細に見られており、保護スリーブがシャフト１に対して螺旋的に同軸に並進移動することが可能であるように組み付けられており、内面ＳＩはシャフトの前部１Ａの外面に沿ってスライドするようにデザインされている。保護スリーブ２は壁セクション２Ａを具備し、そのセクションは２つの螺旋状ガイドパス２０および２１を具備し、それぞれがシャフト１に接続されたペグ１０または１１と係合する。それは、スリーブ２の回転を保護端位置と格納端位置との間のスライド移動に変換するためである。
【００１３】
それぞれの螺旋状のガイドパス２０または２１は凹状の壁によって形成されたカム面から成り、スリーブ２の壁セクション２Ａの厚さ方向に設けられている。それぞれの凹部はこの場合貫通スロットによって形成されている。２つのペグ１０および１１はシャフト１の前部１Ａにおいて径方向に対向しており、それぞれが丸まった上端部を備えた円筒形の２つの突起から成り、２つの突起は１つの径方向の直線Ｄ１上で同一の軸となっている。それぞれのペグ１０または１１はシャフトの軸に対して弾性的に格納可能であり、その格納は径方向の直線Ｄ１の方向において発生する。したがって、保護スリーブ２はシャフト１の前部１Ａ周りにスナップ固定によって組み付けられている。その特徴は、それぞれのペグが単にスリーブ２の組み付けのために、弾性的に格納可能に提供されており、または適切な工具の補助とともにその取り外しが可能であるということである。
【００１４】
ペグ１０または１１は概略径方向のみにおいてシャフトに対して移動し、すなわち、筆記具の軸Ａに垂直に移動する。その方向において弾性的に格納可能な特性を提供するために、それぞれのペグ１０または１１は、シャフトの壁に形成された柔軟なタブ９の自由端に配置された突起によって有利に形成されており、それは図３において見られている。それぞれのタブの突起から成る円筒形の突起は、この場合モールド成形によって一体化されて柔軟なタブとシャフトとを備えた一部品である。それぞれのタブ９は適切な形態の貫通スロット１２によってシャフトの壁内に形成されているので、タブの自由端は関連したタブの軸の接線において円弧状に移動する。すなわち、２つのペグを貫通する径方向の直線Ｄ１に概略沿っている。
【００１５】
図２において、保護スリーブ２は、２つの螺旋状のガイドパスを具備した壁セクション２Ａの前部に長手方向に配置されたグリップ領域Ｐ２を備えている。この壁セクション２Ａはスリーブの一部として形成され、螺旋状のパス２０および２１とスリーブ２の後端リム２Ｅとの間で長手方向に延在している。この壁セクション２Ａは、シャフト１の中間部１Ｂおよび第２のシャフト７とほぼ同じ外径である。このように、これらの構成部品の外面は互いにほぼ同一直線状に配置されている。
【００１６】
保護スリーブ２の後端リム２Ｅは長手方向において起伏を備えている。好適に、これらの起伏は、スリーブの後端リム２Ｅとそれぞれの螺旋状のガイドパス２０および２１の前端とのあいだの距離Ｌ１を最大化するように形成されており、後端リム２Ｅとそれぞれの螺旋状のガイドパスとの間の距離Ｄ２を最小化するようにも形成されている。したがって、ガイドスロット２０の前端２０１はスリーブ２の起伏の尾根と同一の角度位置で配置されている。さらに、スロットの交点２０２はスリーブの起伏の谷と同一の角度位置で配置されている。図示された実施形態において、それぞれの螺旋状のガイドパスの角度方向の伸びは９０°に等しく、すなわち、スリーブ２がシャフトに対してスリーブの２つの端部位置の間で９０°回転されるようにデザインされている。
【００１７】
それぞれのガイドスロットの角度方向の伸びが１２０°未満であることは好適であり、より好適には１００°未満であり、それは螺旋状のガイドパスを含んだ壁セクション２Ａの剛性を妥協させないためである。ガイドパスによって形成された角度αが長手軸Ａに対して３０〜５０°であることも好適である。この配置は、スリーブの回転を軸Ａの方向に変換する一方で、ガイドパスの長手方向の十分な伸びが２つの端部位置の間の保護スリーブの変換のための十分な移動距離Ｃ１を可能にするために、比較的わずかな行動を必要とする。
【００１８】
それぞれのペグ１０または１１は主部１０Ａおよび１１Ａを備えた外周面を有し、それぞれの点でガイドスロット２０または２１の壁と接触可能である。したがって、図２に見られるように、ペグ１０の主部１０Ａはガイドスロット２０を構成している凹部の壁２２を備えた所定の接触高さｈを有している。好適に、この接触高さｈはスリーブの壁セクション２Ａの厚さの常に半分以上である。図示された実施形態において、この接触高さｈはスリーブの壁の厚さの約４分の３であり、その壁をスロットは貫通している。
【００１９】
貫通スロットの代替として、モールド型内で製造する間に、始めから終わりまで貫通せず、したがってスリーブの内側に向かってのみ開口しているガイドパスを形成しているそれぞれの凹部を設けることによって、２つの螺旋状のガイドパスを具備して側方の開口部を全く備えていない壁セクション２Ａを設けることは想到されることである。したがって、細い壁が残り、その壁はそれぞれの凹部を隠し、且つ壁セクション２Ａの外面と連続している。この細い壁の厚さは具体的に壁セクション２Ａの厚さの４分の１〜半分である。この種の製品は、ガイドスロット内に導入される汚れの危険性を回避する利点を備えている。その汚れは最終的にスリーブのガイド機構を全く正確に機能させなくなる。一方で、スリーブはモールド成形することが経験的により複雑なものとなる。
【００２０】
さらに、汚れが貫通スロットの内部空間内に導入される任意の危険性を回避するために、グリップ領域Ｐ２とガイドスロット２０および２１とをカバーするエラストマグリップを組み付けることが想到される。
【００２１】
有利には、シャフト１の中間部１Ｂは端部リム１Ｅを具備し、その端部リムはスリーブの後端リム２Ｅと同様の起伏を備えている。これらの２つの端部リム１Ｅおよび２Ｅはスリーブの格納位置において前周囲の周りで小さいクリアランスｇによって互いに離間されており、その態様は図２に見られる。
【００２２】
シャフトの前部１Ａの前部セクションＰ１はその外面に４つの溝を具備し、それらの溝は長手方向に延伸してそれぞれがこのセクションＰ１の前端部において環状のリムＤ１まで延在している。図３および４において一組の第１の溝１６および１６´のみが見られており、これら２つの第１の溝は角度方向に９０°離間されている。第２の組の２つの第２の溝１７および１７´も角度方向に９０°離間されている。それぞれの２つの溝の組の間の長さにおける差は保護端位置と格納端位置との間の保護スリーブ２の移動距離Ｃ１に等しい。互いに同じ長さの２つの溝は径方向に対向しており、それは溝１６´および１７´に関して図６に見られている。
【００２３】
二組の溝は保護スリーブ２の回転を保留するための手段の一部であり、それぞれの端部位置において、スリーブがある閾値よりも小さい力で回転することを防止するためのものである。それぞれの組の溝はスリーブ２のリブと係合し、互いに同じ長さで径方向に対向した２つの縦長のリブ２６および２７は、この目的のために、スリーブ２の内面ＳＩに設けられており、その状態は図５に見られている。スリーブのそれぞれの端部位置において、それぞれのリブ２６または２７は、２つの第１の溝１６および１６´の１つまたは２つの第２の溝１７および１７´の１つの中に挿入される。それは保持ノッチを形成して、スリーブがある閾値よりも小さい力で回転することを防止するためである。
【００２４】
したがって、その力が閾値よりも大きい場合に、リブが２つの関連した溝のうちの１つから浮き上がり、このリブと、溝を含んだ前部セクションＰ１の外面と、の間に過度の接触圧を発生させることなく他方の溝に向かって移動するために、保持ノッチは必然的に幾分径方向に弾性的に形成されている。この目的のために、この前部セクションＰ１は柔軟な２つの領域１３および１３´を具備し、１つの領域は一組の第１の溝１６と１６´との間、もう１つの領域は一組の第２の溝１７と１７´のとの間にある。これら２つの柔軟な領域１３および１３´は長手方向において第１及び第２の貫通スロット１８および１９によってそれぞれ境界を区切られている。
【００２５】
２つのスロット１８および１９はそれぞれ後端部１６Ｅおよび１６´Ｅの間の前部領域の壁内で延在しており、図４に見られるように後端部１６Ｅは第１の溝１６及び１６´の間、そして後端部１６´Ｅは第２の溝１７および１７´の間（図示略）に形成されている。したがって、柔軟な領域１３および１３´は残りの前部セクションＰ１に、より細い２つの壁のストリップのみによって接続されており、それらのストリップはこの領域の境界となるそれぞれの２つの溝の一方の下に配置されている。
【００２６】
それぞれの領域１３および１３´の径方向の柔軟性をさらに改良するために、壁の厚さは、シャフトの楕円形の前部１Ａを形成している円筒形チューブの壁の厚さに対して部分的に減少されている。この目的のために、図６に示された断面図に見られているように、柔軟な領域１３または１３´の壁の内面の半径Ｒ１６またはＲ１７、すなわち一組の第１の溝１６と１６´との間または一組の第２の溝１７と１７´のとの間の任意の点での半径は、シャフトの前部を形成している円筒形チューブの内側半径Ｒ２よりも大きい。
【００２７】
それぞれのリブ２６または２７はスリーブ２内に配置され、スリーブのそれぞれの端部において、溝内でのリブの係合は溝の全長を占有している。例えば、リブ２６の後端２６Ｅはスリーブの格納位置において溝１６´の後端１６Ｅ´と合致し、且つスリーブ部の保護位置において溝１６の後端１６Ｅと合致する。
【００２８】
有利なことに、柔軟な領域１３または１３´は、ペグ１０または１１およびシャフト１の中間部の前端リム１Ｅの起伏の谷１５と、筆記具の軸Ａに平行な直線Ｄ２に沿って整列されている。図４に見られているように、直線Ｄ２は柔軟な領域のほぼ中間を通過しており、すなわち、２つの第１の溝１６と１６´とから等距離である。そのような配列を伴って、スリーブの内面とシャフトの前部１Ａの外面との間の長手方向の接触長さが中間面において最大となるので、２つの直線Ｄ１とＤ２とによって形成された（図３参照）中間面ＰＩ−ＩＩ（図示略）内でのシャフト１のスリーブ２の同軸の保持はスリーブの後部で補強される。
【００２９】
その柔軟性のために、領域１３または１３´はスリーブとシャフトとの間の同軸の保持に効果的に寄与することが不可能である。中間面ＰＩ−ＩＩ内での総接触長さを伸ばすことは、直線２に沿って見られているように、柔軟な領域１３または１３´の存在に起因した“効果的な”接触長さの損失を補填することが可能である。
【００３０】
図５において、スリーブ２は長手軸Ａ´に関して軸対照であることが見られている。径方向に対向した２つの傾斜した凹部２８および２９はスリーブの内面ＳＩに設けられ、それぞれが、長手方向に傾斜して且つ後端リム２Ｅのスリーブの後端において開放した面を備えている。この特徴は、組み付けの間、シャフトの前部１Ａにおいてスリーブ２の位置決めを簡素化することを可能にしている。これは、それぞれの凹部が弾性的に格納可能な２つのペグ１０および１１のうちの１つをガイドする補助するようにデザインされており、これによってスリーブのシャフトへの挿入をガイドするためである。スリーブ２が組み付けの間にシャフト１に向かって押されるとき、それぞれの凹部２８および２９の傾斜面は関連したペグ１０または１１の弾性的な格納を進行させることを可能にしている。
【００３１】
組み付けの間に、スリーブ２の内面に対してそれぞれのペグをより容易にスライドさせるために、ペグ１０の外周面１０Ａは、図４に見られているように、スリーブ２の内面でスライドするようにデザインされた丸められた形状によって形成されている。そのような丸められた形状は、一旦完全に組み付けられると、ペグと関連したガイドと必然的に接触しない。有利には、それぞれの凹部２８または２９は螺旋状のガイドパス２０または２１の後端として同じ角度位置に配置されている。
【００３２】
図６は図４に示された切断面ＶＩによる断面を示した図であり、図４に関してこれまでに議論されている。
【００３３】
図７において、保護位置でスリーブ２を伴って、シャフトとスリーブとのそれぞれの２つの谷１５と２５との間の長手方向の距離Ｌ３は、シャフトとスリーブとのそれぞれの２つの尾根１４と２４との間の距離Ｌ４よりも大きい。組み付けの容易性およびスリーブの同軸保持に関するこれら谷と尾根との利点の一方で、この機器は、保護位置または筆記位置を触れることによって、使用者に“手際よく”認識されることを容易にしており、すなわち、器具を見ることなく、器具の前端を触れる必要なく、および指を汚すことなく認識されることを容易にしている。なぜなら、これは距離Ｌ３が長さにして５ｍｍよりも一般的に長いためであり、２つの谷１５および２５の間で部分的に基部のボディの直系が異なっていることにより、使用者は指でくぼみを用意に感じ取ることが可能なためである。
【符号の説明】
【００３４】
１  ・・・シャフト
２  ・・・保護スリーブ
７  ・・・第２のシャフト
９  ・・・柔軟なタブ
１０，１１  ・・・ペグ
１３，１３´  ・・・柔軟な領域
１６，１６´  ・・・第１の溝
１７，１７´  ・・・第２の溝
１８，１９  ・・・貫通スロット
２０，２１  ・・・螺旋状ガイドパス
２６，２７  ・・・リブ
２８，２９  ・・・凹部
Ａ  ・・・長手軸
【図１】
2010505652.tif 000003
【図２】
2010505652.tif 000004
【図３】
2010505652.tif 000005
【図４】
2010505652.tif 000006
【図５】
2010505652.tif 000007
【図６】
2010505652.tif 000008
【図７】
2010505652.tif 000009
【手続補正書】
【提出日】平成21年5月29日(2009.5.29)
【手続補正１】
【補正対象書類名】特許請求の範囲
【補正対象項目名】全文
【補正方法】変更
【補正の内容】
【特許請求の範囲】
【請求項１】
シャフト（１）であって、長手軸（Ａ）に沿って延在し、前部において保護スリーブ（２）が組み付けられて該保護スリーブ（２）が前記シャフト（１）に対して同軸で移動可能とされたシャフト（１）を備え、
前記保護スリーブ（２）は筆記用のペン先を保護する保護位置と筆記可能な格納位置との間で移動可能であり、前記保護スリーブ（２）は少なくとも１つの螺旋状のガイドパス（２０、２１）を含んだ壁セクション（２Ａ）を具備し、前記ガイドパス（２０、２１）は、前記スリーブの回転が前記保護位置と前記格納位置との間で並進的に前記シャフトをスライドさせるために、前記シャフト（１）に接続された少なくとも１つのペグ（１０、１１）と係合している固定式ペン先の筆記具において、
前記少なくとも１つのペグ（１０、１１）は、該ペグが係合する前記螺旋状のガイドパス（２０、２１）内にスナップ係合可能とするために、弾性的に格納可能にデザインされ、前記スリーブ（２）の回転を保留するための手段は、前記保護位置および前記格納位置において前記スリーブがある閾値よりも小さい力で回転されることを防止し、前記回転を保留するための手段は、前記保護位置および前記格納位置において、第１の溝（１６、１７）および第２の溝（１６´、１７´）内に弾性的に挿入されるようにデザインされた少なくとも１つの突出要素（２６、２７）を具備していることを特徴とする筆記具。
【請求項２】
前記スリーブ（２）は、前記シャフトに沿ってスライドするために、前記シャフトの前部（１Ａ）の周囲に組み付けられており、前記シャフトの前記前部（１Ａ）の前部セクション（Ｐ１）は、
少なくとも１つの前記第１の溝（１６、１７）および前記第２の溝（１６´、１７´）であって、長手方向に且つ前記前部セクション（Ｐ１）の前端管状リム（１Ｄ）まで延在した溝と、
前記第１の溝の（１６、１６´）の後端（１６Ｅ）と前記第２の溝（１７、１７´）の後端（１６´Ｅ）との間で前記前部セクション（Ｐ１）の壁を貫通して延在している貫通スロット（１８、１９）と、
前記第１の溝の（１６、１７）と前記第２の溝（１６´、１７´）との間に柔軟な領域（１３，１３´）を形成するために前記第２の溝（１６´）の後端（１６´Ｅ）と、
を具備していることを特徴とする、請求項１に記載の筆記具。
【請求項３】
前記保護スリーブ（２）は内面（ＳＩ）を備え、前記スリーブ（２）の回転を保留するための手段は、前記内面（ＳＩ）に設けられた、径方向に対向した同じ長さの２つの縦長のリブ（２６、２７）と、それと同時に一組の前記第１の溝（１６、１６´）および一組の前記第２の溝（１７、１７´）から成る４つの溝と、を具備していることを特徴とする請求項２に記載の筆記具。
【請求項４】
前記シャフトの前部（１Ａ）は円筒形チューブによって楕円形に形成され、一組の前記第１の溝（１６、１６´）の間または一組の前記第２の溝（１７、１７´）の間の任意の点における前記前部（１Ａ）の壁の内面の半径（Ｒ１６，Ｒ１７）は、前記円筒形チューブの内側半径（Ｒ２）よりも大きいことを特徴とする請求項３に記載の筆記具。
【請求項５】
前記少なくとも１つの螺旋状のガイドパス（２０、２１）の角度方向の伸びは、前記保護スリーブ（２）が前記保護位置と前記格納位置との間で前記シャフト（１）に対して９０°回転されるようにデザインされており、前記回転を保留するための手段の前記４つの溝（１６、１６´、１７、１７´）は前記シャフトの前記前部（１Ａ）の外周を囲むように９０°の間隔で角度方向に分配されていることを特徴とする請求項３または４に記載の筆記具。
【請求項６】
それぞれ一組の第１および第２の溝（１６、１６´、１７、１７´）のうちの２つの溝は、前記保護位置と前記格納位置との間で前記保護スリーブ（２）の移動距離（Ｃ）に等しい長さの差を有していることを特徴とする請求項３〜５のいずれか一項に記載の筆記具。
【請求項７】
前記前部（１Ａ）のそばで、前記シャフト（１）は、前記保護スリーブ（２）の壁セクション（２Ａ）とほぼ同一の外径を有する環状の中間部（１Ｂ）と、ほぼ円筒形チューブ状の後部（１Ｃ）と、を具備していることを特徴とする請求項２〜６のいずれか一項に記載の筆記具。
【請求項８】
前記保護スリーブ（２）は、長手方向において起伏を有する後端リム（２Ｅ）を備えたほぼ円筒形チューブ状の後部を具備し、前記シャフト（１）の前記中間部（１Ｂ）は前記起伏と同様の起伏を有する前端リム（１Ｅ）を具備し、前記前端および後端リム（２Ｅ、１Ｅ）は前記保護位置および前記格納位置において全周を取り囲む小さいクリアランスによって互いに離間されていることを特徴とする請求項７に記載の筆記具。
【請求項９】
前記シャフトの前記前部（１Ａ）の前記前部セクション（Ｐ１）における前記柔軟な領域（１３，１３´）の１つは、前記ペグ（１０、１１）の１つおよび前記シャフトの前記中間部（１Ｂ）の前記前端リム（１Ｅ）内の起伏の谷（１５）と前記筆記具の軸（Ａ）に平行な直線（Ｄ２）に沿って整列されていることを特徴とする、請求項２と結合した請求項８に記載の筆記具。
【請求項１０】
それぞれの前記前端および後端リム（１Ｅ；２Ｅ）の前記起伏は互いに径方向に対向した２つの尾根（１４；２４）と２つの谷（１５；２５）とを備え、前記長手方向における前記シャフト（１）および前記保護スリーブ（２）の個々の谷の間の距離（Ｌ３）は５ｍｍより大きいことを特徴とする請求項８または９に記載の筆記具。
【国際調査報告】
2010505652.tif 000010
2010505652.tif 000011
2010505652.tif 000012
2010505652.tif 000013